(57)【要約】【課題】重量算出対象と任意の情報通信端末とからなる、被測定物が、重量計に載った状態で重量の測定を行った場合に、重量算出対象の正確な重量値を得る。【解決手段】本発明の重量計１０は、重量測定部１０１と、無線通信部１０３と、プログラムを記憶する記憶部１０４と、プログラムを実行する処理部１０２と、を備えた重量計１０であって、処理部１０２は、重量測定部１０１が被測定物の重量を測定可能な状態となるように重量計１０のモードを移行する処理と、情報通信端末２０から無線通信部１０３を通じて情報通信端末２０に固有の固有識別情報を受領する処理と、を実行し、記憶部１０４は、処理部１０２によるモードの移行後に重量測定部１０１が測定した情報通信端末２０の重量と、処理部１０２が受領した情報通信端末２０に固有の固有識別情報とを関連付けて記憶するものである。【選択図】図４
2014222218.tif 000002
【特許請求の範囲】
【請求項１】
被測定物の重量を測定する重量測定部と、
情報通信端末と通信する無線通信部と、
プログラムを記憶する記憶部と、
前記プログラムを実行する処理部と、
を備えた重量計であって、
前記処理部は、前記重量測定部が被測定物の重量を測定可能な状態となるように前記重量計のモードを移行する処理と、前記情報通信端末から前記無線通信部を通じて前記情報通信端末に固有の固有識別情報を受領する処理と、を実行し、
前記記憶部は、前記処理部による前記モードの移行後に前記重量測定部が測定した前記情報通信端末の重量と、前記処理部が受領した前記情報通信端末に固有の前記固有識別情報とを関連付けて記憶することを特徴とする、重量計。
【請求項２】
前記処理部による前記モードを移行する処理が、前記無線通信部を通じて受領された前記情報通信端末からの端末重量測定コマンドに応じて実行される、請求項１に記載の重量計。
【請求項３】
前記処理部が、前記端末重量測定コマンドに応答して、前記情報通信端末に対して通信機能を無効にする指示を前記無線通信部を通じて送信する、請求項２に記載の重量計。
【請求項４】
前記処理部が、前記無線通信部を通じて前記情報通信端末とペアリングを確立し、ペアリングを確立した前記情報通信端末に対して通信機能を無効にする指示を前記無線通信部を通じて送信する、請求項１または２に記載の重量計。
【請求項５】
前記処理部による前記モードを移行する処理の後、前記処理部が、前記情報通信端末の通信機能が無効にされているか否かを判別し、無効にされていると判別された場合に、前記重量測定部による被測定物の重量測定機能を有効にする、請求項１ないし４のいずれか１項に記載の重量計。
【請求項６】
前記処理部が、前記無線通信部を通じて、前記情報通信端末からの前記端末重量測定コマンドとともに、前記情報通信端末に固有の前記固有識別情報を受領する、請求項２または３に記載の重量計。
【請求項７】
情報通信端末と重量計との間で無線通信を行う重量測定システムにおいて、
前記重量計は、被測定物の重量を測定可能な状態となるように前記重量計のモードを移行する処理と、前記情報通信端末から前記情報通信端末に固有の固有識別情報を受信する処理と、前記モードの移行後に前記重量計が測定した前記情報通信端末の重量と、前記重量計が受信した前記情報通信端末に固有の前記固有識別情報とを関連付けて記憶する処理と、を実行することを特徴とする、重量測定システム。
【請求項８】
前記重量計による前記モードを移行する処理が、前記情報通信端末から受信された端末重量測定コマンドに応じて実行される、請求項７に記載の重量測定システム。
【請求項９】
前記重量計が、前記端末重量測定コマンドに応答して、前記情報通信端末に対して通信機能を無効にする指示を送信する、請求項８に記載の重量測定システム。
【請求項１０】
前記重量計が、前記情報通信端末とペアリングを確立し、ペアリングを確立した前記情報通信端末に対して通信機能を無効にする指示を送信する、請求項７または８に記載の重量測定システム。
【請求項１１】
前記重量計による前記モードを移行する処理の後、前記重量計が、前記情報通信端末の通信機能が無効にされているか否かを判別し、無効にされていると判別された場合に、前記重量計による被測定物の重量測定機能を有効にする、請求項７ないし１０のいずれか１項に記載の重量測定システム。
【請求項１２】
前記重量計が、前記情報通信端末からの前記端末重量測定コマンドとともに、前記情報通信端末に固有の前記固有識別情報を受信する、請求項８または９に記載の重量測定システム。
【請求項１３】
前記情報通信端末は、前記情報通信端末の前記通信機能を無効にした後、所定条件下で前記通信機能を有効にする、請求項９ないし１１のいずれか１項に記載の重量測定システム。
【請求項１４】
情報通信端末と重量計との間で無線通信を行う重量測定システムにより使用される重量測定方法において、
前記重量計は、被測定物の重量を測定可能な状態となるように前記重量計のモードを移行する処理と、前記情報通信端末から前記情報通信端末に固有の固有識別情報を受信する処理と、前記モードの移行後に前記重量計が測定した前記情報通信端末の重量と、前記重量計が受信した前記情報通信端末に固有の前記固有識別情報とを関連付けて記憶する処理と、を実行することを特徴とする、重量測定方法。
【請求項１５】
重量計と通信する無線通信部と、記憶部と、処理部と、を備えた情報通信端末の、前記記憶部に記憶される重量測定プログラムであって、
前記無線通信部を通じて、前記情報通信端末の重量の測定を指示するための端末重量測定コマンドを前記重量計に送信するステップと、前記無線通信部を通じて、前記情報通信端末に固有の固有識別情報を前記重量計に送信するステップと、前記無線通信部を通じて前記情報通信端末の重量を前記重量計から受領すると、前記情報通信端末の重量を前記記憶部に記憶させるステップと、
を前記処理部に実行させることを特徴とする、重量測定プログラム。
【請求項１６】
前記無線通信部を通じて、前記端末重量測定コマンドを前記重量計に送信するステップの後に、前記無線通信部を通じて前記重量計から前記情報通信端末の通信機能を無効にする指示を受領すると、前記無線通信部の通信機能を無効にするステップを、さらに前記処理部に実行させる、請求項１５に記載の重量測定プログラム。
【請求項１７】
前記無線通信部を通じて前記重量計とペアリングを確立した後に、前記無線通信部を通じて前記重量計から前記情報通信端末の通信機能を無効にする指示を受領すると、前記無線通信部の通信機能を無効にするステップを、さらに前記処理部に実行させる、請求項１５に記載の重量測定プログラム。
【請求項１８】
前記無線通信部を通じて、前記端末重量測定コマンドを前記重量計に送信するステップと、前記無線通信部を通じて、前記情報通信端末に固有の固有識別情報を前記重量計に送信するステップと、を同時に前記処理部に実行させる、請求項１５または１６に記載の重量測定プログラム。
【請求項１９】
前記無線通信部の通信機能を無効にするステップの後、所定条件下で、前記無線通信部の通信機能を有効にするステップを、さらに前記処理部に実行させる、請求項１６又は１７に記載の重量測定プログラム。
【請求項２０】
重量計と通信する無線通信部と、
プログラムを記憶する記憶部と、
前記プログラムを実行する処理部と、
を備えた情報通信端末であって、
前記処理部は、前記無線通信部を通じて、前記情報通信端末の重量の測定を指示するための端末重量測定コマンドを前記重量計に送信する処理と、前記無線通信部を通じて、前記情報通信端末に固有の固有識別情報を前記重量計に送信する処理と、を実行し、
前記処理部が、前記重量計から前記無線通信部を通じて前記情報通信端末の重量を受領すると、前記記憶部は、前記情報通信端末の重量を記憶することを特徴とする、情報通信端末。
【発明の詳細な説明】
【技術分野】
【０００１】
本発明は、重量計、重量測定システム、重量測定方法、重量測定プログラム及び情報通信端末に関するものである。
【背景技術】
【０００２】
従来より、本体と表示器とを備えた体重計において、ユーザが表示器を持ったまま本体に載った状態で、重量の測定を行い、本体にて測定された合計重量値から、体重計内に予め記憶された表示器の重量値を差し引くことにより、ユーザの体重値を得て、この値を表示器に表示するような、体重計が知られている（例えば、特許文献１）。
【先行技術文献】
【特許文献】
【０００３】
【特許文献１】特開２００１−１２９９７号公報
【発明の概要】
【発明が解決しようとする課題】
【０００４】
近年、携帯電話、タブレット端末、ＰＣ等の各種の情報通信端末は、人々にあらゆる利便性を提供すべく日々進化しており、人々は情報通信端末をあらゆる用途に利用するようになってきている。このような時代の流れに鑑み、ユーザが情報通信端末を持ったまま体重計に載った状態で重量の測定を行った場合でも、ユーザの正確な体重値を得ることができれば、ユーザの利便性が大きく向上すると考えられる。しかしながら、特許文献１に開示されたような従来の体重計は、予め記憶された、当該体重計に付属する表示器の重量値しか把握しておらず、不特定多数の情報通信端末の正確な重量値を把握していないために、ユーザが情報通信端末を持ったまま体重計に載った状態で重量の測定をした場合に、測定された合計重量値から、情報通信端末の正確な重量値を差し引くことができず、ゆえにユーザの正確な体重値を得ることができなかった。また、仮に、上記のようにユーザである人が測定対象でなく、物又は動物を測定対象とし、物又は動物に情報通信端末を添えて重量計に載せた状態で重量の側定を行った場合でも、同様に、物だけ又は動物だけの重量値を得ることができない。
【０００５】
したがって、かかる点に鑑みてなされた本発明の課題は、ユーザ、動物又は物のいずれかを含む重量算出対象と、任意の情報通信端末とからなる、被測定物が、重量計に載った状態で、重量の測定を行った場合に、重量算出対象の正確な重量値を得ることができるような、重量計、重量測定システム、重量測定方法、重量測定プログラム及び情報通信端末を提供することにある。
【課題を解決するための手段】
【０００６】
本発明の重量計は、
被測定物の重量を測定する重量測定部と、
情報通信端末と通信する無線通信部と、
プログラムを記憶する記憶部と、
前記プログラムを実行する処理部と、
を備えた重量計であって、
前記処理部は、前記重量測定部が被測定物の重量を測定可能な状態となるように前記重量計のモードを移行する処理と、前記情報通信端末から前記無線通信部を通じて前記情報通信端末に固有の固有識別情報を受領する処理と、を実行し、
前記記憶部は、前記処理部による前記モードの移行後に前記重量測定部が測定した前記情報通信端末の重量と、前記処理部が受領した前記情報通信端末に固有の前記固有識別情報とを関連付けて記憶することを特徴とする。
この構成によれば、任意の１つ以上の情報通信端末の重量を、それぞれ情報通信端末に固有の固有識別情報と関連付けて、重量計に記憶することができる。これにより、例えばその後の処理で、重量計が、情報通信端末から、情報通信端末と重量算出対象とからなる被測定物の重量の測定を指示するための被測定物重量測定コマンドと、固有識別情報とを受信して、その後に、重量算出対象と任意の情報通信端末とが重量計に載った状態で、被測定物の重量の測定を行った場合に、得られた被測定物重量測定値から、受信した前記固有識別情報と関連付けられた端末重量測定値を差し引くことで、重量算出対象の正確な重量を算出することができる。
【０００７】
本発明の重量計において、前記処理部による前記モードを移行する処理が、前記無線通信部を通じて受領された前記情報通信端末からの端末重量測定コマンドに応じて実行されることが好ましい。
この構成によれば、情報通信端末の重量測定を開始するまでの間、重量計の消費電力を抑えることができる。
【０００８】
本発明の重量計において、前記処理部が、前記端末重量測定コマンドに応答して、前記情報通信端末に対して通信機能を無効にする指示を前記無線通信部を通じて送信するようにしてもよい。
この構成によれば、情報通信端末の通信機能が無効にされた後に、情報通信端末の重量測定を開始することができるので、情報通信端末の重量測定中に、情報通信端末の無線通信機能によって重量計の測定精度が悪化したり測定できなくなるのを防止することができる。
【０００９】
本発明の重量計において、前記処理部が、前記無線通信部を通じて前記情報通信端末とペアリングを確立し、ペアリングを確立した前記情報通信端末に対して通信機能を無効にする指示を前記無線通信部を通じて送信するようにしてもよい。
この構成によれば、情報通信端末の通信機能が無効にされた後に、情報通信端末の重量測定を開始することができるので、情報通信端末の重量測定中に、情報通信端末の無線通信機能によって重量計の測定精度が悪化したり測定できなくなるのを防止することができる。
【００１０】
本発明の重量計において、前記処理部による前記モードを移行する処理の後、前記処理部が、前記情報通信端末の通信機能が無効にされているか否かを判別し、無効にされていると判別された場合に、前記重量測定部による被測定物の重量測定機能を有効にすることが好ましい。
この構成によれば、情報通信端末の通信機能が無効にされた後に情報通信端末の重量測定が開始されるのを保証することができるので、情報通信端末の無線通信機能によって重量計の測定精度が悪化したり測定できなくなるのをより確実に防止することができる。
【００１１】
本発明の重量計において、前記処理部が、前記無線通信部を通じて、前記情報通信端末からの前記端末重量測定コマンドとともに、前記情報通信端末に固有の前記固有識別情報を受領することが好ましい。
この構成によれば、重量計が、端末重量測定コマンドと固有識別情報とを別々のタイミングで受領する場合と比べて、情報通信端末との間の通信の工程数を減らして、通信効率を向上させることができる。
【００１２】
本発明の重量測定システムは、
情報通信端末と重量計との間で無線通信を行う重量測定システムにおいて、
前記重量計は、被測定物の重量を測定可能な状態となるように前記重量計のモードを移行する処理と、前記情報通信端末から前記情報通信端末に固有の固有識別情報を受信する処理と、前記モードの移行後に前記重量計が測定した前記情報通信端末の重量と、前記重量計が受信した前記情報通信端末に固有の前記固有識別情報とを関連付けて記憶する処理と、を実行することを特徴とする。
この構成によれば、任意の１つ以上の情報通信端末の重量を、それぞれ情報通信端末に固有の固有識別情報と関連付けて、重量計に記憶することができる。これにより、例えばその後の処理で、重量計が、情報通信端末から、情報通信端末と重量算出対象とからなる被測定物の重量の測定を指示するための被測定物重量測定コマンドと、固有識別情報とを受信して、その後に、重量算出対象と任意の情報通信端末とが重量計に載った状態で、被測定物の重量の測定を行った場合に、得られた被測定物重量測定値から、受信した前記固有識別情報と関連付けられた端末重量測定値を差し引くことで、重量算出対象の正確な重量を算出することができる。
【００１３】
本発明の重量測定システムにおいて、前記重量計による前記モードを移行する処理が、前記情報通信端末から受信された端末重量測定コマンドに応じて実行されることが好ましい。
この構成によれば、情報通信端末の重量測定を開始するまでの間、重量計の消費電力を抑えることができる。
【００１４】
本発明の重量測定システムにおいて、前記重量計が、前記端末重量測定コマンドに応答して、前記情報通信端末に対して通信機能を無効にする指示を送信するようにしてもよい。
この構成によれば、情報通信端末の通信機能が無効にされた後に、情報通信端末の重量測定を開始することができるので、情報通信端末の重量測定中に、情報通信端末の無線通信機能によって重量計の測定精度が悪化したり測定できなくなるのを防止することができる。
【００１５】
本発明の重量測定システムにおいて、前記重量計が、前記情報通信端末とペアリングを確立し、ペアリングを確立した前記情報通信端末に対して通信機能を無効にする指示を送信するようにしてもよい。
この構成によれば、情報通信端末の通信機能が無効にされた後に、情報通信端末の重量測定を開始することができるので、情報通信端末の重量測定中に、情報通信端末の無線通信機能によって重量計の測定精度が悪化したり測定できなくなるのを防止することができる。
【００１６】
本発明の重量測定システムにおいて、前記重量計による前記モードを移行する処理の後、前記重量計が、前記情報通信端末の通信機能が無効にされているか否かを判別し、無効にされていると判別された場合に、前記重量計による被測定物の重量測定機能を有効にすることが好ましい。
この構成によれば、情報通信端末の通信機能が無効にされた後に情報通信端末の重量測定が開始されるのを保証することができるので、情報通信端末の無線通信機能によって重量計の測定精度が悪化したり測定できなくなるのをより確実に防止することができる。
【００１７】
本発明の重量測定システムにおいて、前記重量計が、前記情報通信端末からの前記端末重量測定コマンドとともに、前記情報通信端末に固有の前記固有識別情報を受信することが好ましい。
この構成によれば、重量計が、端末重量測定コマンドと固有識別情報とを別々のタイミングで受領する場合と比べて、重量計と情報通信端末との間の通信の工程数を減らして、通信効率を向上させることができる。
【００１８】
本発明の重量測定システムにおいて、前記情報通信端末は、前記情報通信端末の前記通信機能を無効にした後、所定条件下で前記通信機能を有効にすることが好ましい。
この構成によれば、例えば、情報通信端末の重量測定が完了した後に、情報通信端末の通信機能を有効にして、重量計が測定した情報通信端末の重量を、重量計から情報通信端末に通知した場合に、情報通信端末の重量を情報通信端末も把握することができる。
【００１９】
本発明の重量測定方法は、
情報通信端末と重量計との間で無線通信を行う重量測定システムにより使用される重量測定方法において、
前記重量計は、被測定物の重量を測定可能な状態となるように前記重量計のモードを移行する処理と、前記情報通信端末から前記情報通信端末に固有の固有識別情報を受信する処理と、前記モードの移行後に前記重量計が測定した前記情報通信端末の重量と、前記重量計が受信した前記情報通信端末に固有の前記固有識別情報とを関連付けて記憶する処理と、を実行することを特徴とする。
この構成によれば、任意の１つ以上の情報通信端末の重量を、それぞれ情報通信端末に固有の固有識別情報と関連付けて、重量計に記憶することができる。この構成によれば、例えばその後の処理で、重量計が、情報通信端末から、情報通信端末と重量算出対象とからなる被測定物の重量の測定を指示するための被測定物重量測定コマンドと、固有識別情報とを受信して、その後に、重量算出対象と任意の情報通信端末とが重量計に載った状態で、被測定物の重量の測定を行った場合に、得られた被測定物重量測定値から、受信した前記固有識別情報と関連付けられた端末重量測定値を差し引くことで、重量算出対象の正確な重量を算出することができる。
【００２０】
本発明の重量測定プログラムは、
重量計と通信する無線通信部と、記憶部と、処理部と、を備えた情報通信端末の、前記記憶部に記憶される重量測定プログラムであって、
前記無線通信部を通じて、前記情報通信端末の重量の測定を指示するための端末重量測定コマンドを前記重量計に送信するステップと、前記無線通信部を通じて、前記情報通信端末に固有の固有識別情報を前記重量計に送信するステップと、前記無線通信部を通じて前記情報通信端末の重量を前記重量計から受領すると、前記情報通信端末の重量を前記記憶部に記憶させるステップと、
を前記処理部に実行させることを特徴とする。
この構成によれば、例えば、任意の１つ以上の情報通信端末の重量を、それぞれ情報通信端末に固有の固有識別情報と関連付けて、重量計に記憶させることができる。これにより、その後の処理で、重量計が、情報通信端末から、情報通信端末と重量算出対象とからなる被測定物の重量の測定を指示するための被測定物重量測定コマンドと、固有識別情報とを受信して、その後に、重量算出対象と任意の情報通信端末とが重量計に載った状態で、被測定物の重量の測定を行った場合に、得られた被測定物重量測定値から、受信した前記固有識別情報と関連付けられた端末重量測定値を差し引くことで、重量算出対象の正確な重量を算出することができる。
【００２１】
本発明の重量測定プログラムにおいて、前記無線通信部を通じて、前記端末重量測定コマンドを前記重量計に送信するステップの後に、前記無線通信部を通じて前記重量計から前記情報通信端末の通信機能を無効にする指示を受領すると、前記無線通信部の通信機能を無効にするステップを、さらに前記処理部に実行させるようにしてもよい。
この構成によれば、情報通信端末は、端末重量測定コマンドが重量計により受信されたことを確認してから、自端末の通信機能を無効にすることができるので、例えば通信障害等により重量計が端末重量測定コマンドを受信できないまま情報通信端末が自端末の通信機能を無効にすることを防止することができる。
【００２２】
本発明の重量測定プログラムにおいて、前記無線通信部を通じて前記重量計とペアリングを確立した後に、前記無線通信部を通じて前記重量計から前記情報通信端末の通信機能を無効にする指示を受領すると、前記無線通信部の通信機能を無効にするステップを、さらに前記処理部に実行させるようにしてもよい。
この構成によれば、情報通信端末の通信機能が無効にされた後に、情報通信端末の重量測定を開始することができるので、情報通信端末の重量測定中に、情報通信端末の無線通信機能によって重量計の測定精度が悪化したり測定できなくなるのを防止することができる。
【００２３】
本発明の重量測定プログラムにおいて、前記無線通信部を通じて、前記端末重量測定コマンドを前記重量計に送信するステップと、前記無線通信部を通じて、前記情報通信端末に固有の固有識別情報を前記重量計に送信するステップと、を同時に前記処理部に実行させることが好ましい。
この構成によれば、情報通信端末が、端末重量測定コマンドと固有識別情報とを別々のタイミングで送信する場合と比べて、重量計と情報通信端末との間の通信の工程数を減らして、通信効率を向上させることができる。
【００２４】
本発明の重量測定プログラムにおいて、前記無線通信部の通信機能を無効にするステップの後、所定条件下で、前記無線通信部の通信機能を有効にするステップを、さらに前記処理部に実行させることが好ましい。
この構成によれば、例えば、重量計による情報通信端末の重量測定が完了した後に、情報通信端末の通信機能を有効にして、重量計が測定した情報通信端末の重量を、重量計から情報通信端末に通知した場合に、情報通信端末の重量を情報通信端末も把握することができる。
【００２５】
本発明の情報通信端末は、
重量計と通信する無線通信部と、
プログラムを記憶する記憶部と、
前記プログラムを実行する処理部と、
を備えた情報通信端末であって、
前記処理部は、前記無線通信部を通じて、前記情報通信端末の重量の測定を指示するための端末重量測定コマンドを前記重量計に送信する処理と、前記無線通信部を通じて、前記情報通信端末に固有の固有識別情報を前記重量計に送信する処理と、を実行し、
前記処理部が、前記重量計から前記無線通信部を通じて前記情報通信端末の重量を受領すると、前記記憶部は、前記情報通信端末の重量を記憶することを特徴とする、情報通信端末。
この構成によれば、例えば、任意の１つ以上の情報通信端末の重量を、それぞれ情報通信端末に固有の固有識別情報と関連付けて、重量計に記憶させることができる。これにより、その後の処理で、重量計が、情報通信端末から、情報通信端末と重量算出対象とからなる被測定物の重量の測定を指示するための被測定物重量測定コマンドと、固有識別情報とを受信して、その後に、重量算出対象と任意の情報通信端末とが重量計に載った状態で、被測定物の重量の測定を行った場合に、得られた被測定物重量測定値から、受信した前記固有識別情報と関連付けられた端末重量測定値を差し引くことで、重量算出対象の正確な重量を算出することができる。
【発明の効果】
【００２６】
本発明によれば、ユーザ、動物又は物のいずれかを含む重量算出対象と、任意の情報通信端末とからなる、被測定物が、重量計に載った状態で、重量の測定を行った場合に、重量算出対象の正確な重量値を得ることができるような、重量計、重量測定システム、重量測定方法、重量測定プログラム及び情報通信端末を提供することができる。
【図面の簡単な説明】
【００２７】
【図１】本発明の一実施形態に係る重量計及び情報通信端末を用いた、本発明の一実施形態に係る重量測定システムの構成図である。
【図２】図１の重量計の要部の構成を示す機能ブロック図である。
【図３】図１の情報通信端末の要部の構成を示す機能ブロック図である。
【図４】本発明の一実施形態に係る重量測定システムの端末重量登録処理を示すシーケンス図である。
【図５】図４の処理における情報通信端末の処理を示すフローチャートである。
【図６】図４の処理における重量計の処理を示すフローチャートである。
【図７】本発明の一実施形態に係る重量測定システムの体脂肪率測定処理を示すシーケンス図である。
【図８】図７の処理における情報通信端末の処理を示すフローチャートである。
【図９】図７の処理における重量計の処理を示すフローチャートである。
【図１０】本発明の他の実施形態に係る重量計及び情報通信端末を用いた、本発明の他の実施形態に係る重量測定システムの体脂肪率測定処理を示すシーケンス図である。
【発明を実施するための形態】
【００２８】
以下、本発明の実施形態について、図面を参照して例示説明する。
【００２９】
（一実施形態）
図１〜図９は、本発明の一実施形態を示すものである。本実施形態に係る重量測定システム１は、図１に示すように、互いに無線通信が可能な重量計１０と情報通信端末２０とを備える。重量計１０は、本実施形態では重量測定と生体インピーダンス測定を実施して体脂肪率を得るような体脂肪計であるが、この代わりに、重量測定が可能である限り、体組成計や体重計等であってもよい。情報通信端末２０は、例えば携帯電話、スマートフォン、タブレット端末、ＰＣ等、無線通信が可能な任意の端末（図の例では、スマートフォン）とすることができる。重量計１０と情報通信端末２０との間の無線通信には、無線ＬＡＮ、赤外線、Wi‐Fi（登録商標、Wireless Fidelity）、Bluetooth（登録商標）など、任意の無線通信技術を用いることができる。
【００３０】
次に、図１及び図２を参照して、図１の重量測定システム１を構成する重量計１０の構成を説明する。重量計１０は、重量測定部１０１と、処理部１０２と、無線通信部１０３と、記憶部１０４と、表示部１０５と、生体インピーダンス測定部１０６と、を備えている。
【００３１】
重量測定部１０１は、被測定物を載せるための載台を有する重量計１０の載台の上面に載る被測定物の重量を測定する。なお、本発明において、「被測定物」とは、物である場合だけでなく、人（ユーザ）である場合や、人及び物の組み合わせである場合をも含むものとする。
【００３２】
処理部１０２は、１つ又は複数の中央処理装置（ＣＰＵ）等で構成されており、記憶部１０４に記憶されたプログラムを実行して、重量測定部１０１、無線通信部１０３、記憶部１０４、表示部１０５及び生体インピーダンス測定部１０６を含む、重量計１０の全体を制御する。
【００３３】
無線通信部１０３は、情報通信端末２０との間で無線により信号の送受信を行う。具体的には、無線通信部１０３は、情報通信端末２０から無線信号を受信すると、無線信号を所定形式の信号へと変換して、処理部１０２に出力する。すなわち、無線通信部１０３は、情報通信端末２０から受信する無線信号を、例えばUART(Universal Asynchronous Receiver Transmitter)、SPI(Serial Peripheral Interface)、又はI2C(Inter-Integrated Circuit)等によって変換して、処理部１０２に出力する。また、無線通信部１０３は、処理部１０２から信号を入力されると、入力された信号を所定形式の無線信号へと変換して、情報通信端末２０へ送信する。すなわち、無線通信部１０３は、処理部１０２から入力される信号を、例えばWi‐Fi又はBluetooth等の無線通信規格に従って変換して、情報通信端末２０へ送信する。
【００３４】
記憶部１０４は、ＲＡＭ及びＲＯＭのうち少なくともいずれか一方を１つ又は複数有しており、処理部１０２が実行するためのプログラムや、重量測定部１０１によって得られる情報通信端末２０の重量測定値（端末重量測定値）や、情報通信端末２０に固有の固有識別情報等の、各種の情報を記憶する。なお、処理部１０２がこのプログラムを実行することにより、重量計１０は、情報通信端末２０からの指示に従って、情報通信端末２０の重量の測定及び登録を行う端末重量登録処理と、情報通信端末２０とユーザ（重量算出対象）とからなる被測定物の重量の測定、ユーザの生体インピーダンスの測定、並びにこれらの測定結果に基づいたユーザの体重及び体脂肪率等の算出を行う体脂肪率測定処理と、を行う。また、本実施形態では、重量算出対象がユーザであるが、重量算出対象は、ユーザである人以外にも、物または動物でもよいし、人、物及び動物のうち少なくともいずれか２つの組み合わせからなるものでもよい。
【００３５】
表示部１０５は、例えば液晶ディスプレイ（ＬＣＤ）等で構成されており、重量測定部１０１や生体インピーダンス測定部１０６による測定結果から得られる重量測定値や体脂肪率等の各種の情報を表示する。表示部１０５は、重量計１０の表示部１０５以外の部分（すなわち、重量測定部１０１、処理部１０２、無線通信部１０３、記憶部１０４及び生体インピーダンス測定部１０６等）と一体に構成されてもよいし、重量計１０の表示部１０５以外の部分と有線通信可能に別体に構成されてもよい。
【００３６】
生体インピーダンス測定部１０６は、重量計１０の載台に設けられた複数の（図１の例では４つの）電極からなる電極部１０７を有している。生体インピーダンス測定部１０６は、重量計１０の載台に載るユーザの足裏が電極部１０７に接触された状態で、ユーザの足裏に高周波の微弱な定電流を印加して、ユーザの身体の生体インピーダンスを得る。なお、電極部１０７は、ユーザの身体の他の部位（例えば、掌）が接触され得るように、重量計１０の載台以外の部分（例えば、重量計１０のうち載台よりも上方に延在する部分を備えて、この延在する部分の上部等）に設けられてもよい。生体インピーダンス測定部１０６は、重量計１０の生体インピーダンス測定部１０６以外の部分（すなわち、重量測定部１０１、処理部１０２、無線通信部１０３、記憶部１０４及び表示部１０５等）と一体に構成されてもよいし、重量計１０の生体インピーダンス測定部１０６以外の部分と有線通信可能に別体に構成されてもよい。また、この例では重量計１０が体脂肪計として構成されているが、代わりに、重量計１０が重量測定のみが可能な体重計として構成される場合、重量計１０は、生体インピーダンス測定部１０６を備えない。
【００３７】
次に、図３を参照して、図１の重量測定システム１を構成する情報通信端末２０の構成を説明する。情報通信端末２０は、処理部２０２と、無線通信部２０３と、記憶部２０４と、表示部２０５と、入力部２０７と、を備えている。
【００３８】
処理部２０２は、１つ又は複数の中央処理装置（ＣＰＵ）等で構成されており、記憶部２０４に記憶された重量測定プログラム２０６等の各種のプログラムを実行して、無線通信部２０３、記憶部２０４、表示部２０５及び入力部２０７を含む、情報通信端末２０の全体を制御する。なお、処理部２０２は、重量測定プログラム２０６を実行することにより、重量計１０とともに、端末重量登録処理と体脂肪率測定処理とを行うべく、情報通信端末２０を制御する。
【００３９】
無線通信部２０３は、重量計１０との間で無線により信号の送受信を行う。具体的には、無線通信部２０３は、重量計１０から無線信号を受信すると、無線信号を所定形式の信号へと変換して、処理部２０２に出力する。すなわち、無線通信部２０３は、重量計１０から受信する無線信号を、例えばUART、SPI、又はI2C等によって変換して、処理部２０２に出力する。また、無線通信部２０３は、処理部２０２から信号を入力されると、入力された信号を所定形式の無線信号へと変換して、重量計１０へ送信する。すなわち、無線通信部２０３は、処理部２０２から入力される信号を、例えばWi‐Fi又はBluetooth等の無線通信規格に従って変換して、重量計１０へ送信する。
【００４０】
記憶部２０４は、ＲＡＭ及びＲＯＭの少なくともいずれか一方を１つ又は複数有しており、処理部２０２が実行するための重量測定プログラム２０６等の各種のプログラムや、重量計１０によって測定されて重量計１０から受信する自端末の重量測定値（端末重量測定値）や、情報通信端末２０に固有の固有識別情報等の、各種の情報を記憶する。重量測定プログラム２０６は、アプリケーションプログラムとして、情報通信端末２０のユーザの操作に応じて外部のサーバや記憶装置等から転送されることにより、記憶部２０４に記憶されてもよいし、情報通信端末２０の出荷時に予め記憶部２０４に記憶されてもよい。なお、処理部２０２が重量測定プログラム２０６を実行することにより、情報通信端末２０は、重量計１０に対して、情報通信端末２０の重量の測定及び登録を行う端末重量登録処理を指示し、また、重量計１０に対して、情報通信端末２０及びユーザの合計重量の測定、ユーザの生体インピーダンスの測定、並びにこれらの測定結果に基づいたユーザの体重及び体脂肪率等の算出を行う体脂肪率測定処理を指示する。
【００４１】
表示部２０５は、例えば液晶ディスプレイ（ＬＣＤ）等で構成されており、ユーザの入力部２０７の操作により入力される情報、ユーザへの各種の通知、重量計１０から受信する体重測定値又は体脂肪率等の、各種の情報を表示する。入力部２０７は、ユーザからの入力を受け付ける。入力部２０７は、図１に示す例では、表示部２０５とともに、タッチパネルを構成している。ただし、入力部２０７は、キーパッドやボタン等で構成されてもよいし、これに加えて表示部２０５とともにタッチパネルを構成してもよい。
【００４２】
次に、一実施形態に係る重量測定システム１による処理の一例の概要を説明する。重量測定システム１は、端末重量登録処理と体脂肪率測定処理とを行う。端末重量登録処理では、情報通信端末２０の重量を測定して、その測定値（端末重量測定値）を登録（記憶）する。体脂肪率測定処理では、ユーザが情報通信端末２０を持って重量計１０に載った状態で、ユーザ及び情報通信端末２０からなる被測定物の重量測定を行い、その測定値（被測定物重量測定値）から、端末重量登録処理で登録した情報通信端末２０の重量測定値（端末重量測定値）を差し引いて、ユーザの体重算出値（重量算出対象の重量算出値）を算出する。さらに、体脂肪率測定処理では、ユーザの生体インピーダンスを測定して、ユーザの身体の体脂肪率を算出する。なお、端末重量測定値を差し引くことに加えて、被測定物重量測定値又は体重算出値から、ユーザの衣服等の重量に対応する所定重量値を差し引くようにしてもよい。この場合、ユーザの衣服等の重量に対応する所定重量値は、例えば予め出荷時に１つ又は複数の一般的な値を重量計１０に記憶させておくか、又は、体脂肪率測定処理の開始前にユーザに任意の値を情報通信端末２０又は重量計１０に入力させる等により、情報通信端末２０又は重量計１０に予め記憶させておけばよい。なお、ユーザの衣服等の重量に対応する所定重量値として、予め出荷時に複数の一般的な値を、重量計１０に記憶させておくことで、体脂肪率測定処理において、ユーザが自ら着用する服に応じて、所望の重量値を選択することができるので、より正確にユーザの体重算出値を得ることができる。
【００４３】
まず、図４を参照して、一実施形態に係る重量測定システム１による端末重量登録処理の一例の概要を説明する。端末重量登録処理の開始前において、情報通信端末２０は、ユーザからの入力に応じて重量測定プログラム２０６を起動して、例えば「端末重量登録の開始」及び「体脂肪率測定の開始」とそれぞれ記載された２つの選択ボタンを表示するなどして、端末重量登録処理及び体脂肪率測定処理のいずれを開始するかの選択をユーザに促している。一方、重量計１０は、待機状態にあり、具体的には、重量測定部１０１の出力値をゼロ点に設定する、いわゆるゼロ点更新を、一定時間毎に行ったり、情報通信端末２０からコマンドを受信したりするのに必要最低限の電力が、電源から供給されている状態にある。なお、重量計１０が待機状態にある間、重量計１０の表示部１０５の表示はオフになっていてもよい。
【００４４】
ユーザにより端末重量登録処理の開始が選択されると（ステップＳ１）、情報通信端末２０は、情報通信端末２０の重量の測定を指示するための端末重量測定コマンドを、固有識別情報とともに重量計１０に送信する（ステップＳ２）。ここで、固有識別情報は、本例では予め情報通信端末２０に記憶されており、例えば情報通信端末２０の端末ＩＤ又はユーザにより入力設定される識別情報など、任意の１文字以上からなる英数字等であり、情報通信端末２０に固有の情報である。重量計１０は、ステップＳ２で情報通信端末２０から端末重量測定コマンドを固有識別情報とともに受信すると、待機状態からアクティブ状態へと重量計１０のモードを移行する（ステップＳ３）。また、重量計１０は、端末重量測定コマンドに応答して、情報通信端末２０の無線通信機能の無効化を指示するための通信無効化指示を情報通信端末２０に送信する（ステップＳ４）。ここで、アクティブ状態とは、重量計１０の重量測定部１０１に、重量測定するのに必要十分な電力が、重量計１０の電源から供給されて、重量測定部１０１が被測定物の重量を測定可能である状態をいう。その後、情報通信端末２０は、ステップＳ４で重量計１０から通信無効化指示を受信すると、自端末の無線通信機能を無効にするとともに（ステップＳ５）、例えば「体脂肪計に端末を載せてください」と表示するなどして、ユーザに対して、情報通信端末２０を重量計１０の載台に載せるよう通知する（ステップＳ６）。ここで、情報通信端末２０は、ステップＳ４で通信無効化指示を受信した後に、ステップＳ５で自端末２０の無線通信機能を無効にすることで、情報通信端末２０は、端末重量測定コマンドが重量計１０により受信されたことを確認してから、自端末の通信機能を無効にすることができる。これにより、例えば通信障害等により重量計１０が端末重量測定コマンドを受信できないまま情報通信端末２０が自端末の通信機能を無効にすることを防止することができる。
【００４５】
一方、重量計１０は、情報通信端末２０からの端末重量測定コマンドに応じて（ステップＳ２）、情報通信端末２０に通信無効化指示を送信する（ステップＳ４）。重量計１０は、ステップＳ４の後、情報通信端末２０の無線通信機能が無効にされて（ステップＳ５）、ユーザにより情報通信端末２０が載台に載せられると（ステップＳ７）、情報通信端末２０の重量の測定を行う（ステップＳ８）。
【００４６】
ここで、ステップＳ３における重量計１０のモードを移行する処理が、ステップＳ２における端末重量測定コマンドに応じて実行されるので、端末重量登録処理の開始時から重量計１０がアクティブ状態にある場合と比べて、情報通信端末２０の重量測定を開始するまでの間における重量計１０の消費電力を抑えることができる。
【００４７】
またここで、仮に情報通信端末２０の無線通信機能を有効に維持したまま、重量計１０が、載台に載せられた情報通信端末２０の重量の測定を行えば、重量計１０の間近で情報通信端末２０が発する電波等の影響によって、重量計１０の重量測定精度が悪化するか、あるいは重量測定値が大きく変動し続けて確定しないために測定できなくなる。そこで、情報通信端末２０の無線通信機能が無効にされた後に、重量計１０が、載台に載せられた情報通信端末２０の重量の測定を行うことで、情報通信端末２０の無線通信機能によって重量計１０の測定精度が悪化したり測定できなくなるのを防止している。なお、ステップＳ４における「無線通信機能の無効化」とは、情報通信端末２０と重量計１０との間の無線通信や、情報通信端末２０による電話及びメールのための無線通信の機能を、無効化することで、電波が生じないようにすることを意味し、情報通信端末２０の電源がオフ状態になる場合に限らず、情報通信端末２０の電源がオン状態に維持される場合（すなわち、無線通信機能のみがオフ状態になり、表示機能等の無線通信機能以外の機能がオンに維持される場合）も含むものである。
【００４８】
ステップＳ８の後、情報通信端末２０の重量の測定値が確定すると（ステップＳ９）、重量計１０は、確定した重量測定値（端末重量測定値）と、ステップＳ２で情報通信端末２０から受信した固有識別情報とを関連付けて、登録する（ステップＳ１０）。一方、情報通信端末２０は、ステップＳ６の後に、例えば「重さが確定したらボタンを押してください」と表示するなどして、ユーザに対して、端末重量測定値の取得を指示するための端末重量取得指示の入力を促す（ステップＳ１１）。ユーザは、重量計１０に表示される重量測定値が確定されたことを確認すると、情報通信端末２０上で端末重量取得指示を入力する（ステップＳ１２）。情報通信端末２０は、ユーザにより端末重量取得指示が入力されると（ステップＳ１２）、無線通信機能を有効にして（ステップＳ１３）、端末重量測定値の返信を指示するための端末重量返信コマンドを重量計１０に送信する（ステップＳ１４）。重量計１０は、情報通信端末２０から端末重量返信コマンドを受信すると（ステップＳ１４）、ステップＳ９で取得した端末重量測定値を情報通信端末２０に返信して（ステップＳ１５）、アクティブ状態から待機状態へと、重量計１０のモードを移行する（ステップＳ１６）。ここで、ステップＳ１５によれば、重量計１０で算出した端末重量測定値を、情報通信端末２０も把握することができる。また、ステップＳ１６によれば、端末重量登録処理の後の体脂肪率測定処理で、被測定物の重量測定をスムーズに開始することができる。ただし、ステップＳ１６では、重量計１０を待機状態にする代わりに、重量計１０の電源をオフにしてもよい。
【００４９】
一方、情報通信端末２０は、重量計１０から端末重量測定値を受信すると（ステップＳ１５）、これを記憶（登録）するとともに（ステップＳ１７）、例えば「端末重量の登録が完了しました」と表示するなどして、ユーザに対して、端末重量登録処理が完了した旨を通知する（ステップＳ１８）。
【００５０】
なお、上述した図４の例では、ステップＳ２で情報通信端末２０が端末重量測定コマンドとともに固有識別情報を重量計１０に送信しており、これにより、重量計１０が、端末重量測定コマンドと固有識別情報とを別々のタイミングで受領する場合と比べて、情報通信端末２０との間の通信の工程数を減らして、通信効率を向上させることができる。ただし、情報通信端末２０は、端末重量測定コマンドと固有識別情報とを、別々のタイミングで重量計１０に送信してもよい。この場合、重量計１０は、情報通信端末２０からの端末重量測定コマンドに応じて、ステップＳ３で、待機状態からアクティブ状態へと重量計１０のモードを移行する。
【００５１】
また、図４の例では、重量計１０は、ステップＳ２で受信する端末重量測定コマンドに応答して、ステップＳ４で通信無効化指示を情報通信端末２０に送信するが、重量計１０は、ステップＳ２で端末重量測定コマンドを受信する代わりに、例えばユーザによる重量計１０への入力に応じて、情報通信端末２０とペアリングを確立して、ステップＳ４でこのペアリングを確立した情報通信端末２０に対して通信無効化指示を送信するようにしてもよい。この場合も、情報通信端末２０の通信機能が無効にされた後に、情報通信端末２０の重量測定を開始することができるので、情報通信端末２０の重量測定中に、情報通信端末２０の無線通信機能によって重量計１０の測定精度が悪化したり測定できなくなるのを防止することができる。なお、「ペアリングを確立する」とは、情報通信端末２０と重量計１０とが互いを認識して、両者間の無線通信が可能になることを意味する。
【００５２】
なお、上述した図４の例では、ステップＳ２で情報通信端末２０が端末重量測定コマンドとともに固有識別情報を重量計１０に送信して、ステップＳ１０で重量計１０が、端末重量測定値とこの固有識別情報とを関連付けて登録するが、この代わりに、ステップＳ２で情報通信端末２０が端末重量測定コマンドのみを重量計１１に送信して、ステップＳ１０で重量計１０が、情報通信端末２０に固有の固有識別情報を新たに生成して、端末重量測定値とこの固有識別情報とを関連付けて登録するようにしてもよい。この場合、ステップＳ１５で重量計１０は端末重量測定値を固有識別情報とともに情報通信端末２０へ送信し、ステップＳ１７で情報通信端末２０はこの端末重量測定値と固有識別情報とを記憶（登録）する。
【００５３】
また、図４の例では、情報通信端末２０は、ステップＳ４で重量計１０から通信無効化指示を受信すると、ステップＳ５で自端末の無線通信機能を無効にするが、この代わりに、ステップＳ２で端末重量測定コマンドを重量計１０に送信した後に、ステップＳ４を介さずに、ステップＳ５で自端末の無線通信機能を無効にするようにしてもよい。またさらには、情報通信端末２０は、ステップＳ２で端末重量測定コマンドを重量計１０に送信した後、例えば「無線通信をオフにしてよろしければボタンを押してください」と表示するなどして、ユーザに対して無線通信機能の無効化指示の入力を促して、ユーザにより無線通信機能の無効化指示が入力されると、ステップＳ５を実行するようにしてもよい。
【００５４】
また、図４の例では、重量計１０は、ステップＳ４で通信無効化指示を情報通信端末２０に送信した後に、ステップＳ８で情報通信端末２０の重量の測定を行うが、重量計１０は、ステップＳ４の後に、情報通信端末２０の無線通信機能が無効にされているか否かを判別して、無効にされていると判別した場合に、重量測定を許可し、重量計１０の重量測定機能を有効にして、ステップＳ８で、情報通信端末２０の重量の測定を実施してもよい。あるいは、重量計１０は、ステップＳ３でモードを移行した後に、ステップＳ４を行わずに、情報通信端末２０の無線通信機能が無効にされているか否かを判別して、無効にされていると判別した場合に、重量計１０の重量測定部１０１による被測定物の重量測定機能を有効にして、ステップＳ８に移行するようにしてもよい。この場合、情報通信端末２０は、例えば上述したように、ステップＳ２で端末重量測定コマンドを重量計１０に送信した後に、ステップＳ４を介さずに、ステップＳ５で自端末の無線通信機能を無効にするようにしてもよいし、または、ステップＳ２を実行した後、ユーザにより無線通信機能の無効化指示が入力されると、ステップＳ５を実行するようにしてもよい。このようにすることで、情報通信端末２０の通信機能が無効にされた後に情報通信端末２０の重量測定が開始されるのを保証することができるので、情報通信端末２０の無線通信機能によって重量計１０の測定精度が悪化したり測定できなくなるのをより確実に防止することができる。
【００５５】
また、図４の例では、情報通信端末２０が、ステップＳ１１でユーザに対して端末重量取得指示の入力を促して、ステップＳ１２でユーザにより端末重量取得指示が入力されてから、ステップＳ１１３で無線通信機能を有効にするが、この代わりに、情報通信端末２０は、ステップＳ５で無線通信機能を無効にしてから所定時間が経過すると、ステップＳ１３で無線通信機能を有効にするようにしてもよい。この所定時間とは、ステップＳ５で無線通信機能を無効にしてからステップＳ１０での登録が完了するまでにかかると予測される時間（例えば、１分間）である。またさらには、重量計１１が、ステップＳ９で端末重量測定値を取得した後に、例えば「端末重量測定が完了しましたのでスマートフォンのボタンを押してください。ボタンが押されましたらスマートフォンの無線通信がオンになります。」と表示するなどして、ユーザに対して、情報通信端末２０への無線通信機能の有効化指示の入力を促して、その後、情報通信端末２０は、ユーザにより無線通信機能の有効化指示が入力されると、ステップＳ１３を実行するようにしてもよい。  
【００５６】
また、図４の例では、ステップＳ６、Ｓ１１、Ｓ１８などで、情報通信端末２０が、ユーザに対して通知や入力の促しを、表示により行うが、表示の代わりに、又は表示に加えて、音声や発光等により行ってもよいし、あるいはユーザに対する通知や入力の促しを行わなくてもよい。
【００５７】
次に、図５を参照して、図４の端末重量登録処理における情報通信端末２０の処理について、更に詳細に説明する。なお、図５の処理は、情報通信端末２０の処理部２０２によって制御される。なお、本例では、情報通信端末２０は記憶部２０４に予め固有識別情報を記憶している。事前に、処理部２０２は、ユーザによる入力部２０７での入力に応じて重量測定プログラム２０６を起動し、表示部２０５を制御するなどして、端末重量登録処理及び体脂肪率測定処理のいずれを開始するかの選択をユーザに促している。ユーザの入力部２０７の操作により端末重量登録処理の開始が選択されると（ステップＳ３０）、処理部２０２は、無線通信部２０３を通じて重量計１０に端末重量測定コマンドを内部に記憶する固有識別情報とともに送信する（ステップＳ３１）。その後、処理部２０２は、無線通信部２０３を通じて重量計１０から通信無効化指示を受領するまで待機する（ステップＳ３２、Ｎｏ）。無線通信部２０３を通じて重量計１０から通信無効化指示を受領すると（ステップＳ３２、Ｙｅｓ）、処理部２０２は、無線通信部２０３の無線通信機能を無効にする（ステップＳ３３）とともに、表示部２０５を制御するなどして、ユーザに対して、情報通信端末２０を重量計１０の載台に載せるよう通知する（ステップＳ３４）。その後、処理部２０２は、表示２０５を制御するなどして、ユーザに対して、端末重量取得指示の入力を促し、ユーザにより端末重量取得指示が入力されるまで待機する（ステップＳ３５、Ｎｏ）。ユーザにより端末重量取得指示が入力されると（ステップＳ３５、Ｙｅｓ）、処理部２０２は、無線通信部２０３の無線通信機能を有効にして（ステップＳ３６）、無線通信部２０３を通じて重量計１０に端末重量返信コマンドを送信する（ステップＳ３７）。その後、処理部２０２は、無線通信部２０３を通じて重量計１０から端末重量測定値を受領するまで待機する（ステップＳ３８、Ｎｏ）。無線通信部２０３を通じて重量計１０から端末重量測定値を受領すると（ステップＳ３８、Ｙｅｓ）、処理部２０２は、この端末重量測定値を記憶部２０４に書き込んで記憶（登録）させるとともに（ステップＳ３９）、表示部２０５を制御するなどして、ユーザに対して、端末重量の登録が完了した旨を通知する（ステップＳ４０）。
【００５８】
次に、図６を参照して、図４の端末重量測定処理における重量計１０の処理について、更に詳細に説明する。なお、図６の処理は、重量計１０の処理部１０２によって制御される。事前に、重量計１０は、待機状態にある。処理部１０２は、無線通信部１０３を通じて情報通信端末２０から端末重量測定コマンドを固有識別情報とともに受領すると（ステップＳ５０）、重量計１０を待機状態からアクティブ状態へと重量計１０のモードを移行させて（ステップＳ５１）、無線通信部１０３を通じて通信無効化指示を情報通信端末２０に送信する（ステップＳ５２）。情報通信端末２０の無線通信機能が無効にされた後、処理部１０２は、重量測定部１０１による被測定物の重量測定機能を有効にして、ユーザにより載台に載せられた情報通信端末１０の重量の測定を、重量測定部１０１によって実施する（ステップＳ５３）。そして、処理部１０２は、重量測定部１０１による重量の測定値が所定の範囲に変動が収まると、その測定値を確定して端末重量測定値として取得し（ステップＳ５４）、この端末重量測定値とステップＳ５０で受領した固有識別情報とを関連付けて、記憶部１０４に書き込んで記憶させる（ステップＳ５５）。その後、処理部１０２は、無線通信部１０３を通じて端末重量返信コマンドを受領するまで待機する（ステップＳ５６、Ｎｏ）。無線通信部１０３を通じて端末重量返信コマンドを受領すると（ステップＳ５６、Ｙｅｓ）、処理部１０２は、ステップＳ５４で取得した端末重量測定値を、無線通信部１０３を通じて情報通信端末２０に返信して（ステップＳ５７）、重量計１０をアクティブ状態から待機状態へとモードを移行させる。ただし、ステップＳ１６では、重量計１０を待機状態にする代わりに、重量計１０の電源をオフにしてもよい。
【００５９】
次に、図７を参照して、一実施形態に係る重量測定システム１による体脂肪率測定処理の一例の概要を説明する。事前に、ユーザは、情報通信端末２０上でユーザの年齢、性別、身長などの身体特定情報を登録する。また、事前に図４の端末重量登録処理が１つ以上の情報通信端末２０について行われた結果として、重量計１０は、端末重量測定値及び固有識別情報の組み合わせを、一つ以上記憶している。また、情報通信端末２０は、事前に例えば「端末重量登録の開始」及び「体脂肪率測定の開始」と記載された選択ボタンをそれぞれ表示するなどして、端末重量登録処理及び体脂肪率測定処理のいずれを開始するかの選択をユーザに促す。ユーザにより体脂肪率測定処理の開始が選択されると（ステップＳ７０）、情報通信端末２０は、ユーザと情報通信端末２０とからなる被測定物の重量の測定の指示（被測定物重量測定コマンド）、ユーザの生体インピーダンスの測定の指示、ユーザの体重及び体脂肪率の算出の指示等を含む、体脂肪率測定コマンドと、ユーザの個人データとを、それぞれ重量計１０に送信する（ステップＳ７１、Ｓ７２）。ユーザの個人データとは、情報通信端末２０が内部で記憶する、自端末に固有の固有識別情報と、ユーザが事前に情報通信端末２０上で登録した年齢、性別、身長等の身体特定情報とである。一方、重量計１０は、情報通信端末２０から体脂肪率測定コマンドと個人データとを受信して（ステップＳ７１、Ｓ７２）、ユーザが情報通信端末２０を持ったまま重量計１０の載台に載ると（ステップＳ７３）、ユーザ及び情報通信端末２０の合計重量の測定を実施する（ステップＳ７４）。そして、重量計１０は、重量の測定値が確定されると、その重量の測定値を被測定物重量測定値として取得し（ステップＳ７５）、つぎに、ステップＳ７２で受信した固有識別情報と関連付けられた端末重量測定値を読み出して、被測定物重量測定値からこの端末重量測定値を差し引くことにより、ユーザの体重算出値（重量算出対象の重量算出値）を算出する（ステップＳ７６）。さらに、重量計１０は、ユーザの身体の生体インピーダンスを測定して（ステップＳ７７）、その生体インピーダンスの測定値が確定されると、その測定値を生体インピーダンス測定値として取得し（ステップＳ７８）、この生体インピーダンス測定値と、ステップＳ７２で受信したユーザの個人データのうち身体特定情報（すなわち年齢、性別、身長等）と、ステップＳ７６で得たユーザの体重算出値とを用いて、ユーザの体脂肪率や水分率等を算出する（ステップＳ７９）。その間、ユーザは、情報通信端末２０を持ったまま重量計１０から降りる（ステップＳ８０）。ステップＳ７９の後、重量計１０は、重量測定及び生体インピーダンス測定の測定結果（すなわちユーザの体重算出値、体脂肪率、水分率等）を表示するとともに（ステップＳ８１）、これらの測定結果を情報通信端末２０に返信して（ステップＳ８２）、アクティブ状態から待機状態へと重量計１０のモードを移行させる（ステップＳ８３）。ただし、ステップＳ８３では、重量計１０を待機状態にする代わりに、重量計１０の電源をオフにしてもよい。
一方、情報通信端末２０は、重量計１０から測定結果を受信すると（ステップＳ８２）、この測定結果を表示する（ステップＳ８４）。
【００６０】
なお、上述した図７の例では、重量計１０が体脂肪計として構成されているが、代わりに、重量計１０が重量測定のみが可能な体重計として構成されている場合、ステップＳ７２で情報通信端末２０は固有識別情報のみを個人データとして重量計１０に送信するようにしてもよい。また、この場合、ステップＳ７１で情報通信端末２０は、ユーザと情報通信端末２０とからなる被測定物の重量の測定の指示（被測定物重量測定コマンド）とユーザの体重の算出の指示とを含む重量測定コマンドを、重量計１０に送信する。また、この場合、体脂肪率の算出に関連するステップＳ７７〜Ｓ７９を省略する。また、重量計１０が体組成計として構成されている場合、重量計１０は、ステップＳ７９で、ユーザの体脂肪率や水分率に加えて、筋肉量や骨量等も算出してもよい。
【００６１】
次に、図８を参照して、図７の体脂肪率測定処理における情報通信端末２０の処理について、更に詳細に説明する。なお、図８の処理は、情報通信端末２０の処理部２０２によって制御される。上述したように、情報通信端末２０の記憶部２０４には、ユーザにより事前登録された年齢、性別、身長などの身体特定情報が記憶されている。また、事前に、処理部２０２は、表示部２０５を制御するなどして、端末重量登録処理及び体脂肪率測定処理のいずれを開始するかの選択をユーザに促している。ユーザの入力部２０７の操作により体脂肪率測定処理の開始が選択されると（ステップＳ１００）、無線通信部２０３を通じて、体脂肪率測定コマンドとユーザの個人データ（すなわち固有識別情報、身体特定情報）とを、重量計１０に送信する（ステップＳ１０１）。その後、処理部２０２は、無線通信部２０３を通じて、体脂肪率測定結果として、重量測定及び生体インピーダンス測定の測定結果（すなわちユーザの体重算出値、体脂肪率、水分率等）を受領するまで待機する（ステップＳ１０２、Ｎｏ）。無線通信部２０３を通じて、体脂肪率測定結果として、重量測定及び生体インピーダンス測定の測定結果を受領すると（ステップＳ１０２、Ｙｅｓ）、処理部２０２は、表示部２０５に、これらの測定結果を表示して（ステップＳ１０３）、処理を終了する。
【００６２】
次に、図９を参照して、図７の体脂肪率測定処理における重量計１０の処理について、更に詳細に説明する。なお、図９の処理は、重量計１０の処理部１０２によって制御される。上述したように、重量計１０の記憶部１０４には、図４の端末重量登録処理で登録した、端末重量測定値及び固有識別情報の組み合わせを、一つ以上記憶している。処理部１０２は、無線通信部１０３を通じて情報通信端末２０から体脂肪率測定コマンドとユーザの個人データ（すなわち固有識別情報、身体特定情報）とを受領すると（ステップＳ１２０）、ユーザが情報通信端末２０を持ったまま載台に載った状態で、ユーザと情報通信端末２０とからなる被測定物の重量の測定を、重量測定部１０１によって実施する（ステップＳ１２１）。そして、処理部１０２は、重量測定部１０１による重量の測定値が確定されると、その測定値を被測定物重量測定値として取得し（ステップＳ１２２）、ステップＳ１２０で受領した固有識別情報と同一の固有識別情報に関連付けられた端末重量測定値を、記憶部１０４から読み出して、上記の被測定物重量測定値からこの端末重量測定値を差し引くことにより、ユーザの体重を算出して、体重算出値を得る（ステップＳ１２３）。さらに、処理部１０２は、生体インピーダンス測定部１０６によって、ユーザの身体の生体インピーダンスを測定して（ステップＳ１２４）、その生体インピーダンスの測定値が確定されると、その測定値を生体インピーダンス測定値として取得し（ステップＳ１２５）、この生体インピーダンス測定値と、ステップＳ１２０で受領したユーザの個人データのうち身体特定情報（すなわち年齢、性別、身長等）と、ステップＳ１２３で得たユーザの体重算出値とを用いて、ユーザの体脂肪率や水分率等を算出する（ステップＳ１２６）。その後、処理部１０２は、重量測定及び生体インピーダンス測定の測定結果（すなわちユーザの体重算出値、体脂肪率、水分率等）を、表示部１０５に表示するとともに、これらの測定結果を無線通信部１０３を通じて情報通信端末２０に返信して（ステップＳ１２７）、処理を終了して、アクティブ状態から待機状態へと重量計１０のモードを移行させる。
【００６３】
なお、上述した例では、重量算出対象がユーザであるが、本実施形態の重量測定システム１は、重量算出対象が物又は動物である場合や、重量算出対象が人、物及び動物のうち少なくともいずれか２つの組み合わせからなる場合にも、適用できるものである。そして、このような場合でも、重量測定システム１は、端末重量登録処理において、情報通信端末２０の重量を測定して、その測定値（端末重量測定値）を登録（記憶）する。端末重量登録処理後の処理では、物及び／又は動物（重量算出対象）に情報通信端末２０を添えて重量計１０に載せた状態で、重量算出対象と情報通信端末２０とからなる被測定物の重量測定を行い、その測定値（被測定物重量測定値）から、端末重量登録処理で登録した情報通信端末２０の重量測定値（端末重量測定値）を差し引いて、重量算出対象の重量算出値を算出する。
【００６４】
上述した一実施形態によれば、端末重量登録処理で、任意の１つ以上の情報通信端末の端末重量測定値を、それぞれ情報通信端末２０に固有の固有識別情報と関連付けて、重量計に記憶することができる。これにより、例えばその後の処理で、重量計が、情報通信端末から、情報通信端末と重量算出対象とからなる被測定物の重量の測定を指示するための被測定物重量測定コマンドを、固有識別情報とともに受信して、その後に、情報通信端末と重量算出対象とからなる被測定物が重量計に載った状態で、被測定物の重量の測定を行った場合に、得られた被測定物重量測定値から、受信した前記固有識別情報と関連付けられた端末重量測定値を差し引くことで、重量算出対象の正確な重量を算出することができる。
【００６５】
また、上述した一実施形態によれば、端末重量登録処理で、情報通信端末の無線通信機能が無効にされた後に、重量計が、載台に載せられた情報通信端末の重量の測定を行うので、情報通信端末の無線通信機能によって重量計の測定精度が悪化したり測定できなくなるのを防止することができる。
【００６６】
（他の実施形態）
図１０を参照して、本発明の他の実施形態を説明する。この実施形態は、端末重量登録処理が上述した一実施形態と同様であり、その後の体脂肪率測定処理のみが一実施形態と異なる。図７〜９を参照して説明した一実施形態の体脂肪率測定処理では、重量計１０でユーザ（重量算出対象）と情報通信端末とからなる被測定物の重量及びユーザの生体インピーダンスの測定を行うとともに、重量計１０でユーザの体重及び体脂肪率等の計算を行うのに対して、他の実施形態の体脂肪率測定処理では、重量計１０で被測定物の重量及びユーザの生体インピーダンスの測定を行うと、その測定結果を情報通信端末２０に渡して、情報通信端末２０でこの測定結果を用いてユーザの体重及び体脂肪率等の計算を行う。なお、他の実施形態に係る重量測定システム１の構成は、基本的に一実施形態について図１〜３を参照して説明した構成と同様である。
【００６７】
図１０を参照して、他の実施形態に係る重量測定システム１の体脂肪率測定処理の一例の概要を説明する。事前に、ユーザは、情報通信端末２０上でユーザの年齢、性別、身長などの身体特定情報を登録する。また、事前に図４の端末重量登録処理が行われた結果として、情報通信端末２０は、自端末の端末重量測定値を記憶している。情報通信端末２０は、事前に例えば「端末重量登録の開始」及び「体脂肪率測定の開始」と記載された選択ボタンをそれぞれ表示するなどして、端末重量登録処理及び体脂肪率測定処理のいずれを開始するかの選択をユーザに促す。ユーザにより体脂肪率測定処理の開始が選択されると（ステップＳ１４０）、情報通信端末２０は、ユーザ（重量算出対象）と情報通信端末２０とからなる被測定物の合計重量及びユーザの生体インピーダンスの測定を指示する体脂肪率測定コマンドを、重量計１０に送信する（ステップＳ１４１）。ここで、一実施形態とは異なり、情報通信端末２０は、ユーザの個人データを重量計１０に送信する必要はない。一方、重量計１０は、情報通信端末２０から体脂肪率測定コマンドを受信して（ステップＳ１４１）、ユーザが情報通信端末２０を持ったまま重量計１０の載台に載ると（ステップＳ１４２）、ユーザと情報通信端末２０とからなる被測定物の重量の測定を実施する（ステップＳ１４３）。そして、重量計１０は、重量の測定値が確定されると、その重量の測定値を被測定物重量測定値として取得する（ステップＳ１４４）。さらに、重量計１０は、ユーザの身体の生体インピーダンスを測定して（ステップＳ１４５）、その生体インピーダンスの測定値が確定されると、その測定値を確定して、生体インピーダンス測定値として取得する（ステップＳ１４６）。その後、ユーザは、情報通信端末２０を持ったまま重量計１０から降りる（ステップＳ１４７）。ステップＳ１４６の後、重量計１０は、重量測定及び生体インピーダンス測定の測定結果（すなわち、被測定物重量測定値、生体インピーダンス測定値）を情報通信端末２０に返信して（ステップＳ１４８）、アクティブ状態から待機状態へと重量計１０のモードを移行させる（ステップＳ１５２）。一方、情報通信端末２０は、重量計１０からこれらの測定結果を受信すると（ステップＳ１４８）、受信した被測定物重量測定値から、内部に記憶する自端末の端末重量測定値を差し引くことにより、ユーザの体重算出値（重量算出対象の重量算出値）を算出する（ステップＳ１４９）。さらに、情報通信端末２０は、ステップＳ１４８で受信した生体インピーダンス測定値と、内部に記憶するユーザの年齢、性別、身長等の身体特定情報と、ステップＳ１４９で得た体重算出値とを用いて、ユーザの体脂肪率や水分率等を算出し（ステップＳ１５０）、これらの算出結果を表示する（ステップＳ１５１）。
【００６８】
なお、本例では重量算出対象がユーザであるが、本実施形態の重量測定システム１も、重量算出対象が物又は動物である場合や、重量算出対象が人、物及び動物のうち少なくともいずれか２つの組み合わせからなる場合にも、適用できるものである。
【００６９】
上述した他の実施形態によれば、端末重量登録処理で、情報通信端末に自端末の端末重量測定値を記憶する。これにより、その後の処理で、重量計が、情報通信端末から被測定物重量測定コマンドを受信して、その後に、重量算出対象と情報通信端末とからなる被測定物が重量計に載った状態で、被測定物の重量の測定を行った場合に、情報通信端末が、重量計から渡される被測定物重量測定値から自端末の端末重量測定値を差し引くことで、重量算出対象の正確な重量を算出することができる。
【００７０】
なお、前記一実施形態の体脂肪率測定処理と前記他の実施形態の体脂肪率測定処理とは、任意の方法で使い分けることができる。例えば、ユーザが体脂肪率測定処理の開始前に、前記一実施形態及び前記他の実施形態のいずれかによる処理を選択できるようにすることで、ユーザが体重測定値や体脂肪率を重量計１０に表示させたくない場合は前記他の実施形態の体脂肪率測定処理を、その他の場合は前記一実施形態の体脂肪率測定処理を、選択できるようにしてもよい。
【符号の説明】
【００７１】
１：重量測定システム、  １０：重量計、  ２０：情報通信端末、  １０１：重量測定部、  １０２、２０２：処理部、  １０３、２０３：無線通信部、  １０４、２０４：記憶部、  １０５、２０５：表示部、  １０６：生体インピーダンス測定部、  １０７：電極部、  ２０６：重量測定プログラム
【図１】
2014222218.tif 000003
【図２】
2014222218.tif 000004
【図３】
2014222218.tif 000005
【図４】
2014222218.tif 000006
【図５】
2014222218.tif 000007
【図６】
2014222218.tif 000008
【図７】
2014222218.tif 000009
【図８】
2014222218.tif 000010
【図９】
2014222218.tif 000011
【図１０】
2014222218.tif 000012